(57)【要約】      （修正有）【課題】床に載置される機器を、地震などの際に動かないようにし、機器のメンテナンスの際には一点を旋回軸として、容易に旋回移動可能とする、キャスター装置を提供する。【解決手段】キャスター装置における、車輪を収納する開口部を備えた収納体の、床面に対向する側に、振動吸収体を配置する。機器１の固定には少なくとも３箇のキャスター装置２ａ、２ｂ、２ｃが必要であるが、一つのキャスター装置に配する振動吸収体の面積を他よりも広くし、その面積比の調整により、機器の固定設置時において、機器のメンテナンスや故障に対応する事態が生じた際には、機器に水平方向に人力を加えるだけで、面積が広い振動吸収体を配したキャスター装置を旋回軸とした旋回を可能とする。【選択図】図１
2015205674.tif 000002
【特許請求の範囲】
【請求項１】
床面に載置される機器に、少なくとも３箇が取り付けられてなるキャスター装置において、前記キャスター装置は、車輪と、  ほぼ鉛直方向に伸びる部材であって、下端部が前記車輪と結合し、上端部が前記機器に結合するシャフトと、
前記シャフトが貫通し、前記シャフトに対して上下動可能に取り付けられ、さらに、下方に開放した開口部から前記車輪を収納可能な収納体と、前記収納体の開口部の周縁部に取り付けられる振動吸収体とを備え、
前記収納体の前記周縁部を含む少なくとも一部を、前記シャフトに対して下方向に移動させて、前記車輪を床面から離間させて前記収納体内に収納し、前記振動吸収体が床面に接することで、前記収納体が前記機器を支持し、前記収納体をシャフトに対して上方向に移動させて、前記振動吸収体を床面から離間させて、前記車輪を前記収納体から露出させ、前記車輪が前記機器を移動可能に支持する機能を備え、
かつ、前記収納体のうちの１箇が、他の２箇以上の前記収納体に比して、前記開口部の前記周縁部に取り付けられる前記振動吸収体の接地面積が大きく構成され、前記他の２箇以上の前記収納体が床面から離間した状態で、旋回軸となることを特徴とするキャスター装置。
【請求項２】
前記振動吸収体は、平滑な床面に粘着する機能を有する粘弾性体、カーペットを構成するパイル糸からなるループに係合する部位を有する複数個の突起物素子が一体に配されてなる部材、片面にカーペットを構成するパイル糸からなるループに係合する部位を有する複数個の突起物素子が一体に配され、かつ他方の面が平滑で、平滑な床面に粘着する機能を有する粘弾性体が配された部材から選ばれる少なくとも１種であることを特徴とする、請求項１に記載のキャスター装置。
【請求項３】
前記シャフトには雄ネジ部が形成され、前記シャフトに螺合し、かつ前記収納体と連結する位置調整部材を備え、前記位置調整部材の前記シャフトに対する回転による上下動に伴って、前記収納体は前記シャフトに対して回転せずに上下動することを特徴とする、請求項１または請求項２に記載のキャスター装置。
【請求項４】
前記収納体は、前記シャフトに対して上下動可能に取り付けられ、さらに下方の開放した開口部から前記車輪を収納可能な内枠収納体と、前記内枠収納体に対して上下動可能に前記内枠収納体の外周に嵌合する環状の外枠収納体と、前記外枠収納体の周縁部に配されてなる振動吸収体を備えることを特徴とする、請求項１または請求項２に記載のキャスター装置。
【発明の詳細な説明】
【技術分野】
【０００１】  本発明は、事務機器や生産周辺機器などの比較的重量のある機器に取り付けられ、当該機器が載置された床面における移動を可能とするとともに、機器の固定設置時における地震や過度の衝撃から、機器の不測の移動を防止したり、機器の機能を保護したりするキャスター装置に関する。
【背景技術】
【０００２】  近年、大地震に対する備えに強い関心が集まっている。特に高層階でのオフィスなどに設置される複合複写機のような事務用機器では、荷重が２００ｋｇ前後のものが多く、長周期地振動によって、該機器が数メートル以上にわたって暴走する事態が生じることも知られるようになった。【０００３】  一般に、事務機器などで、室内のレイアウトなどに伴って移動が必要なものには、キャスターが取り付けられており、任意の設置場所に固定する場合は、キャスターの転動を止める転動ロックが用いられる。しかしながら、転動ロックのみで暴走を防止することはできず、粘着マットなどの振動吸収体を用いて、機器を固定することも提案されている。【０００４】  本発明者らは、特許文献１において、機器の設置固定時においては、機器を持ち上げることなく、振動吸収体による固定設置を可能とし、車輪の転動を防止する状態にすることができる、キャスター装置を開示している。このキャスター装置は、機器の移動の必要が生じたときは、簡単な操作で振動吸収体による固定設置を解除し、車輪の接地による移動を可能とするものである。【０００５】  つまり、機器を固定するための振動吸収体を備えた収納体が車輪と一体となった構造であり、高い耐震性能を備え、地震や過度の衝撃から機器の機能を保護するとともに、車輪の収納体の上下動作の操作のみで、固定状態と移動可能状態を容易に切り替えることができるものである。【０００６】  また、特許文献２及び特許文献３に開示されているように、床面がカーペットのケースであっても振動吸収体とカーペットとの間に、離間防止マットを用いることで、同様に固定設置する方法も提案している。いずれにしても、前記特許文献に開示されているのは、機器の固定設置時において、その方法は振動吸収体によるものと、さらに離間防止マットを用いるものによって実現するものである。【０００７】  機器レイアウト変更を目的とした移動の必要が生じた時は、振動吸収体での固定を解除し、車輪の接地での移動が可能となる構造となっているが、固定を解除する目的は必ずしも機器レイアウト変更とは限らない。【０００８】  つまり、オフィスに設置される複合コピー機などでは、機器のメンテナンスや故障に対処すべく、前記機器の固定設置を解除する必要が生じる。一方で、通常、機器は背面を壁に向けて設置されることが多く、オフィスの空間の有効利用のため、機器の側面も他の機器や什器が近接設置されることが多い。【０００９】  よって、通常のメンテナンスや故障に対処する時は、機器を車輪によって引き出して、側面や背面を作業可能状態にする必要がある。しかしながら、特許文献１においては、レイアウト変更に伴う固定設置から車輪の接地による移動を想定したもので、メンテナンスや故障への対処は想定していない。【００１０】  このような視点で、特許文献１に開示されているキャスター装置を改めて検証すると、次のような課題が明らかになってくる。つまり、特許文献１に開示されているキャスターは、固定状態においては、キャスター装置を構成する車輪が、床面から隔離され、収納体の床に対向する開口部の、周縁に配した振動吸収体により、開口部の周縁と床面との間が離間しないように構成されているが、地震などの不測の事態に備えるための、離間しないようにすることと、前記のようにメンテナンスなどのために機器を移動する場合では、振動吸収体の離間が容易であることという、その度合いにおいて、、相反する特性が要求されることである。
【特許文献】
【００１１】
【特許文献１】  特願２０１３−０３５３３２号公報
【特許文献２】  特願２０１３−０８６０７０号公報
【特許文献３】  特願２０１３−０８６０７１号公報
【発明の概要】
【発明が解決しようとする課題】
【００１２】  本発明は、上記課題に鑑み、振動吸収体により床との離間を防止する機能を有する、キャスター装置を用いて設置固定した機器の、背面や側面の固定設置を解除することなく、メンテナンス可能状態にすることを目的としている。このために、レイアウト変更や機器のメンテナンスのための移動の際の、振動吸収体での固定を解除する作業を容易にして、利便性を向上させようとするものである。
【課題を解決するための手段】
【００１３】  一般的に、機器を床面に載置するには、少なくとも３箇所の支点が必要となるが、本発明者らの検討結果によれば、地震などの事態においても、支点の固定が１箇所であっても、床面での機器の不測の動きが抑制されることが判明した。本発明は、かかる知見に基づき、前記振動吸収体を用いたキャスター装置における、振動吸収体の配置を再検討した結果なされたものである。【００１４】  即ち、本発明は、床面に載置される機器に、少なくとも３箇が取り付けられてなるキャスター装置において、前記キャスター装置は、車輪と、ほぼ鉛直方向に伸びる部材であって、下端部が前記車輪と結合し、上端部が前記機器に結合するシャフトと、前記シャフトが貫通し、前記シャフトに対して上下動可能に取り付けられ、さらに、下方に開放した開口部から前記車輪を収納可能な収納体と、前記収納体の開口部の周縁部に取り付けられる、振動吸収体とを備え、前記収納体の前記周縁部を含む少なくとも一部を、前記シャフトに対して下方向に移動させて、前記車輪を床面から離間させて前記収納体内に収納し、前記振動吸収体が床面に接することで、前記収納体が前記機器を支持し、前記収納体をシャフトに対して上方向に移動させて、前記振動吸収体を床面から離間させて、前記車輪を前記収納体から露出させ、前記車輪が前記機器を移動可能に支持する機能を備え、かつ、前記収納体のうちの１箇が、他の２箇以上の前記収納体に比して、前記開口部の前記周縁部に取り付けられる前記振動吸収体の接地面積が大きく構成され、前記他の２箇以上の前記収納体が床面から離間した状態で、旋回軸となることを特徴とするキャスター装置である。【００１５】  また、本発明は、前記振動吸収体が、平滑な床面に粘着する機能を有する粘弾性体、カーペットを構成するパイル糸からなるループに係合する部位を有する複数個の突起物素子が一体に配されてなる部材、片面にカーペットを構成するパイル糸からなるループに係合する部位を有する複数個の突起物素子が一体に配され、かつ他方の面が平滑で、平滑な床面に粘着する機能を有する粘弾性体が配された部材から選ばれる少なくとも１種であることを特徴とする、前記のキャスター装置である。【００１６】  また、本発明は、前記シャフトには雄ネジ部が形成され、前記シャフトに螺合し、かつ前記収納体と連結する位置調整部材を備え、前記位置調整部材の前記シャフトに対する回転による上下動に伴って、前記収納体は前記シャフトに対して回転せずに上下動することを特徴とする、前記のキャスター装置である。【００１７】  また、本発明は、前記収納体が、前記シャフトに対して上下動可能に取り付けられ、さらに下方の開放した開口部から前記車輪を収納可能な内枠収納体と、前記内枠収納体に対して上下動可能に前記内枠収納体の外周に嵌合する環状の外枠収納体と、前記外枠収納体の周縁部に配されてなる振動吸収体を備えることを特徴とする、前記のキャスター装置である。
【発明の効果】
【００１８】  本発明にかかる、キャスター装置においては、機器の床面に対向する側に、３箇以上取り付けたキャスター装置の、振動吸収体の面積が、他のキャスター装置よりも広くなっているので、その面積比の調整により、機器の固定設置時において、機器のメンテナンスや故障に対応する事態が生じた際には、機器に水平方向に人力を加えるだけで、面積が広い振動吸収体を配したキャスター装置を旋回軸とした旋回が可能となり、機器の背面や側面の視認及び操作が可能な状態とすることが容易となる。
【図面の簡単な説明】
【００１９】
【図１】  本発明のキャスター装置を用いた機器の例を示す図。
【図２】  本発明に係るキャスター装置を複合複写機に適用した例を示す正面図。
【図３】  カーペットを構成するパイル糸のループとループに係合する部位を有する突起物素子を配した部材を組み合わせた例を模式的に示した図。
【図４】  振動吸収体として前記の突起物素子を配した部材と粘弾性体を組み合わせた例を模式的に示した図。
【図５】  本発明に係るキャスター装置の一例の構造を示す破砕断面図。
【図６】  本発明に係るキャスター装置の他の例を示す断面図。
【発明を実施するための形態】
【００２０】  以下、図面を参照しながら本発明の実施の形態について説明するが、かかる実施の形態例が、本発明の技術的範囲を限定するものではない。
【００２１】  図１は本発明のキャスター装置を用いた機器の例を示す図で、一つのキャスター装置を機器全体の旋回軸として、水平方向に旋回移動する状態を模式的に示した平面図である。図１において、１は機器、２ａ、２ｂ、２ｃ、２ｄはキャスター装置、３は壁面、４は他の什器、５ａは移動前の機器の位置、５ｂは、機器を９０°移動した位置、５ｃは機器を１８０°移動した位置を示す。
【００２２】  図１に示した例は、機器１の床面に対向する面に４箇のキャスター装置を取り付け、キャスター装置２ａが他の３箇のキャスター装置２ｂ、２ｃ、２ｄに比較して、収納体の周縁部に取り付けられる振動吸収体の接地面積が大きく構成されているものである。そして、旋回軸となるキャスター装置２ａに取り付けられた、振動吸収体の接地面積は、機器全体を人力で旋回しても固定が解除されない範囲で設定され、他の３箇の収納体の接地面積は、人力で容易に固定が解除される範囲に設定されている。
【００２３】  このような構成にしておくことで、機器のメンテナンスが必要で、オフィスの壁面３や隣接して設置されている他の什器４に面している側面を露出させたい場合は、機器を旋回することで対応できる。また、通常の設置した状態では、地震や過度の衝撃での機器の転倒や暴走を防止できる。
【００２４】  図２は、本発明に係るキャスター装置を、複合複写機に適用した例を示す正面図である。図２において、６は複合複写機、７はキャスター装置、８は床面である。図２におけるキャスター７装置を図１に示したように構成することで、機器の転倒や暴走を防止できるとともに、メンテナンスの際の移動が容易となる。
【００２５】  本発明においては、振動吸収体として、自己粘着性を備えた粘弾性を使用することができる他、マジロック（登録商標）などと同様の作用効果を発現する部材を使用することができる。図３は、その一例として、カーペットを構成するパイル糸のループと、ループに係合する部位を有する突起物素子を配した部材を組み合わせた例を、模式的に示した図である。
【００２６】  図３において、９は板状部材、１０は突起物素子、１１はカーペットを敷いた床面、１２はパイル糸のループである。近年、オフィスの床面には、カーペットを敷き詰めることが多く、カーペット床の場合、機器を固定するための有効な構成となっている。
【００２７】  図４は、振動吸収体として、前記の突起物素子を配した部材と粘弾性体を組み合わせた例を、模式的に示した図である。図４において、１３は自己粘着性を備えた粘弾性体で、キャスター装置の収納部の開口部周縁に配されている。振動吸収体をこのように構成することにより、本発明にかかるキャスター装置の機能を向上することができる。
【００２８】  図５は、本発明に係るキャスター装置の一例の構造を示す破砕断面図で、図５（ａ）は車輪を収納した状態の側面図、図５（ｂ）は車輪を露出させた状態の側面図、図５（ｃ）は底面図である。図５において、１４はキャスター装置、１５ａは内枠収納体、１５ｂは外枠収納体、１６はフランジ部、１７は振動吸収体、１８は車輪、１９はシャフト、２０は機器である。
【００２９】  この例においては、内枠収納体１５ａの外周に雄ネジが形成され、外枠収納体１５ｂの内周に、該雄ネジに螺合する雌ネジが形成されている。このような構成にすることにより、外枠収納体１５ｂを回転すると、それに伴って、内枠収納体１５ａが上下動するので、振動吸収体１７を床面に接触させたり、床面から離間させたりできる。
【００３０】  図６は、本発明に係るキャスター装置の他の例を示す断面図である。図６（ａ）は車輪を収納した状態の側面図、図６（ｂ）は車輪を露出させた状態の側面図、図６（ｃ）は底面図である。図５において、２１はキャスター装置、２２は収納体、２３はフランジ部、２４は振動吸収体、２５は車輪、２６はシャフト、２７は位置調整部材、２８は固定用ナット、２９は機器である。
【００３１】  この例においては、シャフト２６の外周に雄ネジが形成され、位置調整部材２７の内周に、該雄ネジに螺合する雌ネジが形成されている。このような構成にすることで、固定用ナットを緩めた状態で、位置調整部材２７を回転すると、シャフト２６とシャフトに接合された車輪２５が上下動し、振動吸収体２４を床面に接触させたり、床面から離間させたりできる。
【００３２】  以上に説明したように、本発明によれば、地震発生などの事態においては、床面に載置した機器を確実に固定することで対処可能で、メンテナンスなどにより移動が必要な場合は、一つのキャスターを旋回軸として、機器を旋回移動することが可能なキャスターを提供できる。なお、発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３３】１，２０，２９・・・機器
２ａ，２ｂ，２ｃ，２ｄ，７，１４，２１・・・キャスター装置
３・・・壁面    ４・・・他の什器    ５ａ・・・移動前の機器の位置
５ｂ・・・機器を９０°移動した位置    ５ｃ・・・機器を１８０°移動した位置
６・・・複合複写機    ８・・・床面    ９・・・板状部材    １０・・・突起物素子
１１・・・カーペットを敷いた床面    １２・・・パイル糸のループ
１３・・・自己粘着性を備えた粘弾性体    １５ａ・・・内枠収納体
１５ｂ・・・外枠収納体  １６，２３・・・フランジ部  １７，２４・・・振動吸収体
１８，２５・・・車輪    １９，２６・・・シャフト    ２２・・・収納体
２７・・・位置調整部材    ２８・・・固定用ナット
【図１】
2015205674.tif 000003
【図２】
2015205674.tif 000004
【図３】
2015205674.tif 000005
【図４】
2015205674.tif 000006
【図５】
2015205674.tif 000007
【図６】
2015205674.tif 000008